(57)【要約】【課題】薄型化を実現して設置状態におけるトンネル壁面からの突出を抑え、さらに、パーツ交換などのメンテナンス作業が容易となる照明装置を提供する。【解決手段】長手方向に直交する断面がコ字状となりコ字状の開口側を内方に向けて四角形に枠組みされてトンネル壁面１３に固定される本体枠２５と、四角形に枠組みされて本体枠２５の内側に嵌合して固定されるシート枠２７と、シート枠２７に外周縁部５９が固定されて面状に張設されるとともに、本体枠２５との間で挟持され、本体枠２５の一方の枠開口面６５を塞ぐ透光性の防炎シート２９と、本体枠２５の他方の枠開口面６９からシート枠２７の内側に脱着自在となって取り付けられ、ＬＥＤ７７を備える光源枠３１と、光源枠３１に取り付けられて本体枠２５の他方の枠開口面６９を塞ぎ、本体枠２５及び防炎シート２９とによって本体枠内側の光源収容空間９１を密閉する裏板３３と、を設けた。【選択図】  図２
2015103349.tif 000002
【特許請求の範囲】
【請求項１】
長手方向に直交する断面がコ字状となりコ字状の開口側を内方に向けて四角形に枠組みされてトンネル壁面に固定される本体枠と、
四角形に枠組みされて前記本体枠の内側に嵌合して固定されるシート枠と、
前記シート枠に外周縁部が固定されて面状に張設されるとともに、前記本体枠との間で挟持され、前記本体枠の一方の枠開口面を塞ぐ透光性の防炎シートと、
前記本体枠の他方の枠開口面から前記シート枠の内側に脱着自在となって取り付けられ、光源を備える光源枠と、
前記光源枠に取り付けられて前記本体枠の他方の枠開口面を塞ぎ、前記本体枠及び前記防炎シートとによって本体枠内側の光源収容空間を密閉する裏板と、
を具備することを特徴とする照明装置。
【請求項２】
請求項１記載の照明装置であって、
前記光源枠の内側に光源が設けられ、
前記シート枠の内側に前記防炎シートに沿う挟持支持片が突出され、
前記光源枠の内側には前記光源を挟んで前記挟持支持片の反対側に挟持片が突出され、
前記防炎シートよりも内側で前記一方の枠開口面に配置される導光板が、前記挟持支持片と前記挟持片とによって厚み方向で挟持されることを特徴とする照明装置。
【請求項３】
請求項２記載の照明装置であって、
前記光源が複数のＬＥＤからなり、
前記光源枠の内側に直線状に並べられた前記ＬＥＤが前記導光板の受光端面に対向配置されることを特徴とする照明装置。
【発明の詳細な説明】
【技術分野】
【０００１】
本発明は、主にトンネル内への設置に適した薄型の照明装置に関する。
【背景技術】
【０００２】
従来、トンネル内に設置される照明装置として、例えば下記特許文献１に開示されるものがある。図１５に示すように、このような照明装置５０１は、トンネル内のコンクリート壁面５０３にアンカーボルト５０５などで固定された架台５０７に取付部５０９を介して装置本体５１１が取り付けられている。
【０００３】
また、トンネル内に設置される照明装置には、その他に、装置本体の裏面側をトンネル内のコンクリート壁面に埋め込んで取り付けられる、いわゆる嵌め殺しのものがある。
【先行技術文献】
【特許文献】
【０００４】
【特許文献１】特開２００３−１００１０４号公報
【発明の概要】
【発明が解決しようとする課題】
【０００５】
しかしながら、上述した従来の照明装置には改善すべきいくつかの欠点があった。まず、図１５に示すような照明装置５０１では、照明装置５０１とコンクリート側壁５０３の間に架台５０７や取付部５０９があり、これに加えて、図示の照明装置５０１のように照明装置は厚型に構成されていることが多いことから、照明装置５０１を取り付けたときに壁面５０３から突出していた。トンネル内において、照明装置５０１が壁面５０３から突出していると、トンネル内を走行する自動車などが突出した照明装置５０１に接触する危険性が生じてしまうため、この点は改善する必要があった。
【０００６】
また、部品単位で組み立てられている照明装置では、機能部、例えば光源ユニットをユニットごとに交換できず、交換作業に時間がかかっていた。特にトンネル内においては、作業中は自動車の通行を例えば片側車線を通行止めにするなどして制限しなければならず、メンテナンス作業にあまり時間をかけられないことが現実問題としてあった。
【０００７】
本発明は上記状況に鑑みてなされたもので、その目的は、薄型化を実現して設置状態における突出を抑え、さらに、パーツ交換などのメンテナンス作業が容易となる照明装置を提供することにある。
【課題を解決するための手段】
【０００８】
次に、上記の課題を解決するための手段を、実施の形態に対応する図面を参照して説明する。
本発明の請求項１記載の照明装置１１は、長手方向に直交する断面がコ字状となりコ字状の開口側を内方に向けて四角形に枠組みされてトンネル壁面１３に固定される本体枠２５と、
四角形に枠組みされて前記本体枠２５の内側に嵌合して固定されるシート枠２７と、
前記シート枠２７に外周縁部５９が固定されて面状に張設されるとともに、前記本体枠２５との間で挟持され、前記本体枠２５の一方の枠開口面６５を塞ぐ透光性の防炎シート２９と、
前記本体枠２５の他方の枠開口面６９から前記シート枠２７の内側に脱着自在となって取り付けられ、光源７７を備える光源枠３１と、
前記光源枠３１に取り付けられて前記本体枠２５の他方の枠開口面６９を塞ぎ、前記本体枠２５及び前記防炎シート２９とによって本体枠内側の光源収容空間９１を密閉する裏板３３と、
を具備することを特徴とする。
【０００９】
この照明装置１１では、本体枠２５の内側に、本体枠２５の厚み内でシート枠２７が取り付けられる。シート枠２７の内側に、シート枠２７の厚み内で光源枠３１が取り付けられる。つまり、本体枠２５はシート枠２７よりも大きく、シート枠２７は光源枠３１よりも大きく形成されている。これら本体枠２５、シート枠２７、光源枠３１は、大きいものから小さいものへ順次に組み入れられ、略入れ子状となって、本体枠２５の厚み内に全て収められる。これにより、それぞれの枠部材の厚みが積み上げられることがなく、本体枠２５の厚みのみでの組み立てが可能となる。
また、トンネル壁面１３から本体枠２５を取り外すことで、背面の裏板３３が表出する。表出した裏板３３を本体枠２５から取り外すことで、光源収容空間９１が開放される。開放された光源収容空間９１において、シート枠２７からの光源枠３１の取り外しが可能となる。つまり、トンネル壁面１３から取り外された照明装置１１は、裏板３３を固定する裏板固定ビス８９、光源枠３１を固定する光源枠固定ビス７３を外すのみで、光源が交換可能となる。
【００１０】
本発明の請求項２記載の照明装置１１は、請求項１記載の照明装置１１であって、
前記光源枠３１の内側に光源が設けられ、
前記シート枠２７の内側に前記防炎シート２９に沿う挟持支持片８３が突出され、
前記光源枠３１の内側には前記光源を挟んで前記挟持支持片８３の反対側に挟持片８５が突出され、
前記防炎シート２９よりも内側で前記一方の枠開口面６５に配置される導光板６７が、前記挟持支持片８３と前記挟持片８５とによって厚み方向で挟持されることを特徴とする。
【００１１】
この照明装置１１では、裏板３３が外された状態で、光源枠固定ビス７３の締結が解除されて、光源枠３１がシート枠２７から外されると、シート枠２７の挟持支持片８３と光源枠３１の挟持片８５とによって挟持されていた導光板６７が同時に脱着可能となる。また、導光板６７が、シート枠２７の厚みの範囲で挟持されているので、導光板６７の厚みが装置の厚みに積み上げられることがない。
【００１２】
本発明の請求項３記載の照明装置１１は、請求項２記載の照明装置１１であって、
前記光源が複数のＬＥＤ７７からなり、
前記光源枠３１の内側に直線状に並べられた前記ＬＥＤ７７が前記導光板６７の受光端面７９に対向配置されることを特徴とする。
【００１３】
この照明装置１１では、直線状に並べられた複数のＬＥＤ７７が導光板６７の受光端面７９に対向配置されるので、ＬＥＤ７７が導光板６７の厚み内に収められ、ＬＥＤ７７の厚みが装置の厚みに積み上げられることがない。また、ＬＥＤ７７が光源枠３１に設けられているので、光源枠３１を取り外すことで、導光板６７の挟持解除と同時に、光源枠３１と一体、或いは光源枠３１に取り付けられたのＬＥＤ７７を簡単に脱着することができる。
【発明の効果】
【００１４】
本発明に係る請求項１記載の照明装置によれば、薄型化を実現して設置状態におけるトンネル壁面からの突出を抑え、さらに、パーツ交換などのメンテナンス作業を容易にすることができる。
【００１５】
本発明に係る請求項２記載の照明装置によれば、本体枠から裏板を外し、本体枠から光源枠を外すことで、光源及び導光板を同時に取り外すことができる。
【００１６】
本発明に係る請求項３記載の照明装置によれば、ＬＥＤを導光板の厚み内に配置でき、装置の厚みをさらに薄型化できる。
【図面の簡単な説明】
【００１７】
【図１】本発明の実施形態に係る照明装置の斜視図である。
【図２】図１に示した照明装置の縦断面図である。
【図３】図１に示した照明装置の平断面図である。
【図４】図１に示した照明装置の裏側から見た分解斜視図である。
【図５】図１に示した照明装置の要部分解平面図である。
【図６】トンネル壁面からの照明装置の取り外し手順説明図である。
【図７】裏板の取り外し手順説明図である。
【図８】光源枠の取り外し手順説明図である。
【図９】反射板、導光板、ＬＥＤの取り外し手順説明図である。
【図１０】シート枠の取り外し手順説明図である。
【図１１】コーナー金具固定ビスの取り外し手順説明図である。
【図１２】Ｌ字接続金具の取り外し手順説明図である。
【図１３】取付金具と本体枠との取り外し手順説明図である。
【図１４】防炎シートの取り外し手順説明図である。
【図１５】従来の照明装置の側面図である。
【発明を実施するための形態】
【００１８】
以下、本発明に係る実施形態を図面を参照して説明する。
図１は本発明の実施形態に係る照明装置の斜視図、図２は図１に示した照明装置の縦断面図、図３は図１に示した照明装置の平断面図、図４は図１に示した照明装置の裏側から見た分解斜視図、図５は図１に示した照明装置の要部分解平面図である。
本実施形態に係る照明装置１１は、図１に示すように、例えば車両用トンネルのトンネル壁面１３に、アンカーボルト１５を用いて固定された取付金具１７等によって取り付けられる。照明装置１１には電源ユニット１９が取り付けられ、電源ユニット１９はトンネル壁面１３に配索される配線用金属管２１に挿通された電源ケーブル２３と接続される。電源ユニット１９は、所定電圧、例えば２００Ｖの商用電源を所定電圧、例えば１２〜２４Ｖに変圧して装置内の電源回路へと給電する。
【００１９】
照明装置１１は、本体枠２５（図１参照）と、シート枠２７（図２参照）と、防炎シート２９（図２参照）と、光源枠３１（図２参照）と、裏板３３（図２参照）と、を有する。本体枠２５、シート枠２７及び光源枠３１は、アルミニウムやアルミニウム合金等の軽金属を押出成形した長尺材を、所定長さに裁断して枠組み、本実施形態では四角形に枠組みされる。また、裏板３３にも同様の軽金属が好適に用いられる。
【００２０】
［本体枠］
本体枠２５は、長手方向に直交する断面が図５に示すコ字状となり、図４に示すように、コ字状の開口側を内方に向けて四角形に枠組みされてトンネル壁面１３に固定される。本体枠２５の四隅は、図４に示すＬ字接続折曲金具３５と、Ｌ字接続平金具３７とによって連結される。図５に示すように、本体枠２５のコ字断面の内側には、Ｌ字接続折曲金具３５の端部が挿入される第１連結部３９と、Ｌ字接続平金具３７の端部が挿入される第２連結部４１と、が直交配置となって成形されている。
【００２１】
本体枠２５にはスタッドボルト４３の先端が外方へ突出して貫通する。スタッドボルト４３は、トンネル壁面１３にアンカーボルト１５によって固定された取付金具１７の金具穴４５に、ナット４７、ワッシャ４９、座金５１を用いて固定される。これにより、照明装置１１がトンネル壁面１３に取り付けられる。
【００２２】
図４に示すように、本体枠２５は、それぞれの四隅において、Ｌ字接続折曲金具３５とＬ字接続平金具３７が第１連結部３９、第２連結部４１に挿入される。本体枠２５は、貫通するコーナー金具固定ビス５３が、それぞれのＬ字接続折曲金具３５に螺着されることで四角枠状に組み付けられる。
【００２３】
［シート枠］
シート枠２７は、四角形に枠組みされて本体枠２５の内側に嵌合して固定される。シート枠２７は、本体枠２５の内側に配置されて、本体枠２５を図５の上側から貫通するシート枠固定ビス５５によって本体枠２５に固定される。本体枠２５とシート枠２７の組付手順は、本体枠２５を組み立てた後にその内側にシート枠２７を組み付けてもよく、シート枠２７を仮組した後に、その外側に本体枠２５を組み付けてもよい。
【００２４】
四角形に組み立てられたシート枠２７の外周側には、図５に示すシート保持凹部５７が全周に連続凹溝状となって配置される。シート保持凹部５７には、防炎シート２９の外周縁部５９が挿入される。シート保持凹部５７に挿入された防炎シート２９の外周縁部５９は、図５に示す支持板６１によって押さえられて、シート固定ビス６３によってシート枠２７に固定される。
【００２５】
［防炎シート］
防炎シート２９は、四角形に組み立てられたシート枠２７よりも、若干大きく形成される。防炎シート２９は、四角形に組み立てられたシート枠２７に、外周縁部５９が固定されて面状に張設される。防炎シート２９は、防炎シート２９を固定したシート枠２７が、図５に示すシート枠固定ビス５５によって本体枠２５に固定される。これにより、防炎シート２９は、図２、図３に示すように、本体枠２５との間で挟持され本体枠２５の一方の枠開口面６５を覆い、塞ぐ。この防炎シート２９は、透光性を有しており、表面が黄色や白色とされる。
【００２６】
透光性を有する防炎シート２９としては、例えばガラス繊維織物を軟質フィルムで挟みこんだ複合シ−ト等を用いることができる。防炎シート２９を用いることで、トンネル内で火災が発生した場合、防炎シート２９によって照明装置１１を保護することができる。後述する導光板６７としてアクリル板等の樹脂板を使用した場合に特にアクリル板が火災の熱によって溶けるのを抑制、または遅らせることができる。
【００２７】
［光源枠］
光源枠３１は、本体枠２５の他方の枠開口面６９からシート枠２７の内側に脱着自在となって取り付けられ光源を備える。光源枠３１は、図５に示す光源枠基部７１が光源枠固定ビス７３によってシート枠２７の内側に固定される。光源枠基部７１には、光源取付部７５が設けられる。
【００２８】
本実施形態において、光源は、図１に示す複数のＬＥＤ７７からなる。ＬＥＤ７７は、光源枠３１の内側に設けられた光源取付部７５に直線状に並べられる。ＬＥＤ７７は、四角形となる導光板６７の平行な２辺の受光端面７９に応じ配置される。なお、ＬＥＤ７７は、照明装置１１の大きさ、ＬＥＤ７７の大きさ（明るさ）によっては、一辺のみに設けてもよい。この光源枠３１は、後述するように、本体枠２５とによって導光板６７を挟持する。ＬＥＤ７７は、光源取付部７５に取り付けられることで、図２に示すように、光源枠３１と本体枠２５とによって挟持された導光板６７の受光端面７９の長手方向に沿って対向配置される。
【００２９】
導光板６７の受光端面７９に配置されている複数のＬＥＤ７７から出射する光は、受光端面７９から導光板６７に入射する。導光板６７には、粒径の小さい微少な乱反射材、例えばガラス粒が多数分散して混入されている。乱反射材の粒径及び導光板内における分布は導光板６７の表面から出射する光が、導光板６７の表面のほぼ全体からほぼ均一の光強度で出射するように選択ないし調整される。
【００３０】
導光板６７の背面全体には、反射板８１、または光反射シートが貼り付けられている。導光板６７の受光端面７９から入射した光、乱反射材で乱反射した光のうち、導光板６７の背面から外に出た光は反射板８１に高い反射率で反射され、再び導光板６７に入射する。これにより、ＬＥＤ７７からの光を無駄なく利用することができる。
【００３１】
上記のように、光源枠３１の内側には、ＬＥＤ７７が設けられる。シート枠２７の内側には、防炎シート２９に沿う図５に示す挟持支持片８３が突出されている。また、光源枠３１の内側には、ＬＥＤ７７を挟んで挟持支持片８３の反対側に、図５に示す挟持片８５が突出されている。そして、防炎シート２９よりも内側で一方の枠開口面６５に配置される導光板６７は、図２、図３に示すように、挟持支持片８３と挟持片８５とによって厚み方向で挟持される。本実施形態では、導光板６７の背面には反射板８１が重ねられる。この反射板８１も、導光板６７とともに、挟持支持片８３と挟持片８５によって挟持される。
【００３２】
導光板６７は、挟持支持片８３と挟持片８５による挟持構造のみで厚み方向にのみ保持される。本体枠２５や光源枠３１にビスや接着等によって固定されない。また、穿孔による固定も行われない。これにより、導光板６７が熱で伸縮、膨張した場合の変形を回避可能としている。
【００３３】
［裏板］
裏板３３は、光源枠３１の光源枠基部７１に、挟持片８５と平行に突出する図５に示す裏板固定片８７に裏板固定ビス８９によって固定される。裏板３３は、光源枠３１に取り付けられて本体枠２５の他方の枠開口面６９を塞ぐ。これにより、裏板３３は、本体枠２５及び防炎シート２９とによって、図２、図３に示す本体枠内側の光源収容空間９１を密閉する。
【００３４】
なお、上記構成では、光源がＬＥＤ７７である場合を例に説明したが、光源は、この他の光源、例えば蛍光灯等であってもよい。
【００３５】
次に、上記構成を有する照明装置１１の取り外し手順を説明する。
図６はトンネル壁面１３からの照明装置１１の取り外し手順説明図、図７は裏板３３の取り外し手順説明図、図８は光源枠３１の取り外し手順説明図、図９は反射板８１、導光板６７、ＬＥＤ７７の取り外し手順説明図、図１０はシート枠２７の取り外し手順説明図、図１１はコーナー金具固定ビス５３の取り外し手順説明図、図１２はＬ字接続金具の取り外し手順説明図、図１３は取付金具１７と本体枠２５との取り外し手順説明図、図１４は防炎シート２９の取り外し手順説明図である。
照明装置１１をトンネル壁面１３から取り外すには、図６に示すように、アンカーボルト１５の締結を解除して、取付金具１７をトンネル壁面１３から取り外す。
【００３６】
裏板３３を取り外すには、図７に示すように、トンネル壁面１３から取り外した照明装置１１の背面から、裏板固定ビス８９の締結を解除する。
【００３７】
光源枠３１を取り外すには、図８に示すように、裏板３３の外された本体枠２５の他方の枠開口面６９から、光源枠固定ビス７３の締結を解除する。これにより、光源枠３１とともに、ＬＥＤ７７、導光板６７及び反射板８１が本体枠２５から脱着可能となる。
【００３８】
ＬＥＤ７７を取り外すには、図９に示すように、光源枠基部７１の光源取付部７５からＬＥＤ７７を脱着する。導光板６７及び反射板８１は、挟持支持片８３と挟持片８５との挟持のみで保持されているので、シート枠２７に対する光源枠３１の固定解除と同時に挟持が解除される。
【００３９】
シート枠２７を取り外すには、図１０に示すように、本体枠２５を貫通してシート枠２７を固定しているシート枠固定ビス５５の締結を解除する。次いで、Ｌ字接続金具を取り外す。
【００４０】
Ｌ字接続金具であるＬ字接続折曲金具３５とＬ字接続平金具３７を取り外すには、先ず、図１１に示すように、Ｌ字接続折曲金具３５に螺合しているコーナー金具固定ビス５３の締結を解除する。次いで、図１２に示すように、Ｌ字接続折曲金具３５、Ｌ字接続平金具３７の両端から本体枠２５を引き抜き、本体枠２５の４辺を分解する。
【００４１】
取付金具１７と本体枠２５とを取り外すには、図１３に示すように、スタッドボルト４３に螺合しているナット４７の締結を解除する。これにより、本体枠２５から取付金具１７が取り外される。
【００４２】
防炎シート２９を取り外すには、図１４に示すように、シート枠２７のシート保持凹部５７に、防炎シート２９の外周縁部５９を固定しているシート固定ビス６３の締結を解除する。これにより、支持板６１による押さえが解除され、防炎シート２９がシート枠２７から取り外される。
【００４３】
次に、上記構成を有する照明装置１１の作用を説明する。
照明装置１１では、本体枠２５の内側に、本体枠２５の厚み内でシート枠２７が取り付けられる。シート枠２７の内側に、シート枠２７の厚み内で光源枠３１が取り付けられる。つまり、本体枠２５はシート枠２７よりも大きく、シート枠２７は光源枠３１よりも大きく形成されている。これら本体枠２５、シート枠２７、光源枠３１は、大きいものから小さいものへ順次に組み入れられ、略入れ子状となって、本体枠２５の厚み内に収められる。これにより、それぞれの枠部材の厚みが積み上げられることがなく、本体枠２５の厚みのみでの組み立てが可能となる。
【００４４】
また、トンネル壁面１３から本体枠２５を取り外すことで、背面の裏板３３が表出する。表出した裏板３３を本体枠２５から取り外すことで、光源収容空間９１が開放される。開放された光源収容空間９１において、シート枠２７からの光源枠３１の取り外しが可能となる。つまり、トンネル壁面１３から取り外された照明装置１１は、裏板３３を固定する裏板固定ビス８９、光源枠３１を固定する光源枠固定ビス７３を外すのみで、光源が交換可能となる。
【００４５】
また、照明装置１１では、裏板３３が外された状態で、光源枠固定ビス７３の締結が解除されて、光源枠３１がシート枠２７から外されると、シート枠２７の挟持支持片８３と光源枠３１の挟持片８５とによって挟持されていた導光板６７が同時に脱着可能となる。その結果、本体枠２５から裏板３３を外し、本体枠２５から光源枠３１を外すことで、光源及び導光板６７を同時に取り外すことができる。また、導光板６７が、シート枠２７の厚みの範囲で挟持されているので、導光板６７の厚みが装置の厚みに積み上げられることがない。
【００４６】
さらに、照明装置１１では、直線状に並べられた複数のＬＥＤ７７が導光板６７の受光端面７９に対向配置されるので、ＬＥＤ７７が導光板６７の厚み内に収められ、ＬＥＤ７７の厚みが装置の厚みに積み上げられることがない。その結果、ＬＥＤ７７を導光板６７の厚み内に配置でき、装置の厚みをさらに薄型化できる。また、ＬＥＤ７７が光源枠３１に設けられているので、光源枠３１を取り外すことで、導光板６７の挟持解除と同時に、光源枠３１と一体のＬＥＤ７７を簡単に脱着することができる。
【００４７】
従って、本実施形態に係る照明装置１１によれば、薄型化を実現して設置状態におけるトンネル壁面からの突出を抑え、さらに、パーツ交換などのメンテナンス作業を容易にすることができる。
【符号の説明】
【００４８】
１１…照明装置
１３…トンネル壁面
２５…本体枠
２７…シート枠
２９…防炎シート
３１…光源枠
３３…裏板
５９…外周縁部
６５…一方の枠開口面
６７…導光板
６９…他方の枠開口面
７７…光源（ＬＥＤ）
７９…受光端面
８３…挟持支持片
８５…挟持片
９１…光源収容空間
【図１】
2015103349.tif 000003
【図２】
2015103349.tif 000004
【図３】
2015103349.tif 000005
【図４】
2015103349.tif 000006
【図５】
2015103349.tif 000007
【図６】
2015103349.tif 000008
【図７】
2015103349.tif 000009
【図８】
2015103349.tif 000010
【図９】
2015103349.tif 000011
【図１０】
2015103349.tif 000012
【図１１】
2015103349.tif 000013
【図１２】
2015103349.tif 000014
【図１３】
2015103349.tif 000015
【図１４】
2015103349.tif 000016
【図１５】
2015103349.tif 000017